(57)【要約】【課題】  ケーブル取付けのバラツキによる片引き状態を回避できて同時操作を確実にでき、そして、複数の施錠装置を同時に、そして、確実に解除可能にする。【解決手段】  施錠装置に連結される出力側リリース・ケーブル１１と、別の施錠装置に連結される別の出力側リリース・ケーブル１２と、その２本の出力側リリース・ケーブル１１，１２に解除操作を伝達する入力側リリース・ケーブル１３と、その施錠装置の解除ストロークよりも長い引きストロークを確保するケーブル・ホルダー２９およびそのケーブル・ホルダー２９内において互いに向かい合う方向で両リンク端にその２本の出力側リリース・ケーブル１１，１２の入力側ケーブル・エンド２２，２４を対応的に連結し、そして、リンク中間にその入力側リリース・ケーブル１３の出力側ケーブル・エンド２６を連結するケーブル連結リンク３１で組み立てられる二叉ケーブル連結器１４とを含む。【選択図】  図１２
2007045280.tif 000002
【特許請求の範囲】
【請求項１】
施錠装置に連結される出力側リリース・ケーブルと、別の施錠装置に連結される別の出力側リリース・ケーブルと、その２本の出力側リリース・ケーブルに解除操作を伝達する入力側リリース・ケーブルと、その施錠装置の解除ストロークよりも長い引きストロークを確保するケーブル・ホルダー、およびそのケーブル・ホルダー内において互いに向かい合う方向で両リンク端にその２本の出力側リリース・ケーブルの入力側ケーブル・エンドを対応的に連結し、そして、リンク中間にその入力側リリース・ケーブルの出力側ケーブル・エンドを連結するケーブル連結リンクで組み立てられる二叉ケーブル連結器とを含む乗り物シートの複数の施錠装置に用いる解除機構。
【請求項２】
施錠装置に連結される出力側リリース・ケーブルと、別の施錠装置に連結される別の出力側リリース・ケーブルと、その２本の出力側リリース・ケーブルに解除操作を伝達する入力側リリース・ケーブルと、出力側端壁と入力側端壁との間でその施錠装置の解除ストロークよりも長い引きストロークを確保し、その出力側端壁に一対の出力側ケーブル穴を適宜の間隔で明け、そして、その入力側端壁に入力側ケーブル穴を明けるケーブル・ホルダー、およびそのケーブル・ホルダーのその一対の出力側ケーブル穴にその２本の出力側リリース・ケーブルの入力側ケーブル・エンドを対応的に通して外部からそのケーブル・ホルダーの内部にその入力側ケーブル・エンドを引き込んで両リンク端にその２本の出力側リリース・ケーブルのその入力側ケーブル・エンドを対応的に連結し、そして、そのケーブル・ホルダーのその入力側ケーブル穴にその入力側リリース・ケーブルの出力側ケーブル・エンドを通して外部からそのケーブル・ホルダーの内部にその出力側ケーブル・エンドを引き込んでリンク中間にその入力側リリース・ケーブルのその出力側ケーブル・エンドを連結するケーブル連結リンクで組み立てられる二叉ケーブル連結器とを含む乗り物シートの複数の施錠装置に用いた解除機構。
【請求項３】
その２本の出力側リリース・ケーブルのそれぞれが、その入力側ケーブル・エンドにローラーを結合し、その入力側リリース・ケーブルが、その出力側ケーブル・エンドにローラーを結合し、そして、その二叉ケーブル連結器が、そのケーブル連結リンクのその両リンク端およびリンク中間にローラー・ソケットを備え、そして、その２本の出力側リリース・ケーブルのその入力側ケーブル・エンドのそのローラーおよびその入力側リリース・ケーブルのその出力側ケーブル・エンドのそのローラーをその３つのローラー・ソケットに対応的にはめ込んでその入力側リリース・ケーブルをその２本の出力側リリース・ケーブルに連結する請求項１および２の何れかに記載の乗り物シートの複数の施錠装置に用いる解除機構。
【請求項４】
その２本の出力側リリース・ケーブルのそれぞれが、その入力側ケーブル・エンドにボールを結合し、その入力側リリース・ケーブルが、その出力側ケーブル・エンドにボールを結合し、そして、その二叉ケーブル連結器が、そのケーブル連結リンクのその両リンク端およびリンク中間にボール・ソケットを備え、そして、その２本の出力側リリース・ケーブルのその入力側ケーブル・エンドのそのボールおよびその入力側リリース・ケーブルのその出力側ケーブル・エンドのそのボールをその３つのボール・ソケットに対応的にはめ込んでその入力側リリース・ケーブルをその２本の出力側リリース・ケーブルに連結する請求項１および２の何れかに記載の乗り物シートの複数の施錠装置に用いる解除機構。
【請求項５】
施錠装置の解除ストロークよりも長い引きストロークを確保する間隔で底壁の一端に出力側端壁を、その底壁の他端に入力側端壁をそれぞれ折り曲げ、その出力側端壁に一対のケーブル留めスロットを適宜の間隔で上端に開口させて切り欠き、その入力側端壁にケーブル留めスロットを上端に開口させて切り欠き、そして、その出力側端壁および入力側端壁のそれぞれのその上端にほぞを突き出すケーブル・ホルダーと、頂壁の両側端のそれぞれに側壁を折り曲げ、その頂壁の両端のそれぞれに抜き穴を明け、そして、そのケーブル・ホルダーに被せられ、その抜き穴にそのケーブル・ホルダーのその出力側および入力側端壁のそのほぞをはめ込んでそのケーブル・ホルダーに留められる蓋と、そのケーブル・ホルダー内で両リンク端に２本の出力側リリース・ケーブルの入力側ケーブル・エンドを、リンク中間に入力側リリース・ケーブルの出力側ケーブル・エンドをそれぞれ連結するケーブル連結リンクとを含む乗り物シートの複数の施錠装置の解除機構に用いる二叉ケーブル連結器。
【請求項６】
そのケーブル連結リンクが、それの両リンク端およびリンク中間にローラー・ソケットを備え、そして、その２本の出力側リリース・ケーブルのその入力側ケーブル・エンドのローラーおよびその入力側リリース・ケーブルのその出力側ケーブル・エンドのローラーをその３つのローラー・ソケットに対応的にはめ込んでその入力側リリース・ケーブルをその出力側リリース・ケーブルに連結する請求項５に記載の乗り物シートの複数の施錠装置の解除機構に用いる二叉ケーブル連結器。
【請求項７】
そのケーブル連結リンクが、それの両リンク端およびリンク中間にボール・ソケットを備え、そして、その２本の出力側リリース・ケーブルのその入力側ケーブル・エンドのボールおよびその入力側リリース・ケーブルのその出力側ケーブル・エンドのボールをその３つのボール・ソケットに対応的にはめ込んでその入力側リリース・ケーブルをその出力側リリース・ケーブルに連結する請求項５に記載の乗り物シートの複数の施錠装置の解除機構に用いる二叉ケーブル連結器。
【発明の詳細な説明】
【技術分野】
【０００１】
この発明は、乗り物シートの複数の施錠装置に用いる解除機構およびその解除機構に用いる二叉ケーブル連結器に関し、詳細には、自動車シートのウォークイン機構、すなわち、その自動車シートのリクライニング・デバイスおよびシート・トラックそれぞれの施錠装置を同時に解除可能にする解除機構およびその解除機構に用いる二叉ケーブル連結器に関する。
【背景技術】
【０００２】
通常、乗用車、ワゴン、およびバンなどのフロント・シートは、解除機構でリクライニング・デバイスおよびシート・トラックそれぞれの施錠装置を同時に解除する。その解除機構は、それら施錠装置それぞれの解除レバーに接続される２本のケーブルをストラップで同時に引いて解除するので、その２本のケーブルがそのストラップで引かれてもケーブル取付けのバラツキで片引き状態になり、そして、それら施錠装置の何れか一方が解除されてもそれら施錠装置の何れか他方は解除されない。
【特許文献１】特開平１０−３２３２５２号公報
【発明の開示】
【発明が解決しようとする課題】
【０００３】
この発明の課題は、ケーブル取付けのバラツキによる片引き状態を回避できて同時操作を確実にでき、そして、複数の施錠装置を同時に解除可能にするところの乗り物シートの複数の施錠装置に用いる解除機構およびその解除機構に用いる二叉ケーブル連結器の提供にある。
【課題を解決するための手段】
【０００４】
この発明は、施錠装置に連結される出力側リリース・ケーブルと、別の施錠装置に連結される別の出力側リリース・ケーブルと、その２本の出力側リリース・ケーブルに解除操作を伝達する入力側リリース・ケーブルと、その施錠装置の解除ストロークよりも長い引きストロークを確保するケーブル・ホルダー、およびそのケーブル・ホルダー内において互いに向かい合う方向で両リンク端にその２本の出力側リリース・ケーブルの入力側ケーブル・エンドを対応的に連結し、そして、リンク中間にその入力側リリース・ケーブルの出力側ケーブル・エンドを連結するケーブル連結リンクで組み立てられる二叉ケーブル連結器とを含む。
【発明の効果】
【０００５】
この発明では、その二叉ケーブル連結器においてそのケーブル・ホルダーが、その複数の施錠装置の解除ストロークよりも長い引きストロークを確保し、また、そのケーブル連結リンクが、それの両リンク端に２本の出力側リリース・ケーブルを対応的に連結し、そして、それのリンク中間に入力側リリース・ケーブルを連結してその入力側リリース・ケーブルをその２本の出力側リリース・ケーブルに連結するので、その２本の出力側リリース・ケーブルがその入力側リリース・ケーブルで同時に引かれてその２本の出力側リリース・ケーブルの何れか一方がフル・ストロークされ、その際、その２本の出力側リリース・ケーブルの他方がまだ解除させるまでに引っ張られない場合にもそのケーブル連結リンクでさらに引っ張り可能になり、すなわち、その２本の出力側リリース・ケーブルの何れか他方にはまだ引きストロークの余裕があり、ケーブル取付けのバラツキによる片引き状態が回避されて同時操作が確実に行われ、そして、その複数の施錠装置が同時に解除可能になる。
【発明を実施するための最良の形態】
【０００６】
その２本の出力側リリース・ケーブルおよびその入力側リリース・ケーブルは、アウター・ケーブルおよびインナー・ケーブルで組み立てられるところのプッシュ・プル・ケーブルを用い、また、その二叉ケーブル連結器は、施錠装置の解除ストロークよりも長い引きストロークを確保する間隔で底壁の一端に出力側端壁を、その底壁の他端に入力側端壁をそれぞれ折り曲げ、その出力側端壁に一対のケーブル留めスロットを適宜の間隔で上端に開口させて切り欠き、その入力側端壁にケーブル留めスロットを上端に開口させて切り欠き、そして、その出力側端壁および入力側端壁のそれぞれのその上端にほぞを突き出すケーブル・ホルダーと、頂壁の両側端のそれぞれに側壁を折り曲げ、その頂壁の両端のそれぞれに抜き穴を明け、そして、そのケーブル・ホルダーに被せられ、その抜き穴にそのケーブル・ホルダーのその出力側および入力側端壁のそのほぞをはめ込んでそのケーブル・ホルダーに留められる蓋と、そのケーブル・ホルダー内で両リンク端に２本の出力側リリース・ケーブルの入力側ケーブル・エンドを、リンク中間に入力側リリース・ケーブルの出力側ケーブル・エンドをそれぞれ連結するケーブル連結リンクとで組み立てられる。
【０００７】
そのケーブル連結リンクは、それの両リンク端およびリンク中間にローラー・ソケットを備え、そして、その２本の出力側リリース・ケーブルのその入力側ケーブル・エンドのローラーおよびその入力側リリース・ケーブルのその出力側ケーブル・エンドのローラーをその３つのローラー・ソケットに対応的にはめ込んでその入力側リリース・ケーブルをその出力側リリース・ケーブルに連結するのが望ましい。
また、そのケーブル連結リンクは、それの両リンク端およびリンク中間にボール・ソケットを備え、そして、その２本の出力側リリース・ケーブルのその入力側ケーブル・エンドのボールおよびその入力側リリース・ケーブルのその出力側ケーブル・エンドのボールをその３つのボール・ソケットに対応的にはめ込んでその入力側リリース・ケーブルをその出力側リリース・ケーブルに連結してもかまわない。
【実施例１】
【０００８】
以下、特定されて図示された具体例に基づいて、この発明の乗り物シートの複数の施錠装置に用いる解除機構を説明するに、図１ないし図１２は、乗用車やワゴンなどのフロント・シート（図示せず）に適用されるところのこの発明の乗り物シートの複数の施錠装置に用いる解除機構の具体例１０を示し、そして、そのフロント・シートは、シート・バックがリクライニング・デバイスでシート・クッションに前倒しおよび角度調整可能に支持され、そして、そのシート・クッションがシート・トラックを組み込んでそのシート・トラックでフロアに前後調整可能に据え付けられるところの構造に組み立てられ、そして、そのリクライニング・デバイスおよびシート・トラックそれぞれの施錠装置（図示せず）で調整位置に動けなくされるので、この解除機構１０では、出力側リリース・ケーブル１１が、それのシート・アジャスター側ケーブル・エンドでそのリクライニング・デバイスのその施錠装置の解除レバー（図示せず）に連結され、また、別の出力側リリース・ケーブル１２が、それのシート・アジャスター側ケーブル・エンドでそのシート・トラックのその施錠装置の解除レバー（図示せず）に連結され、さらに、入力側リリース・ケーブル１３が、その２本の出力側リリース・ケーブル１１，１２に解除操作を伝達可能にされ、またさらに、二叉ケーブルで連結器１４が、それら施錠装置の解除ストロークよりも長い引きストロークを確保するケーブル・ホルダー２９、そのケーブル・ホルダー２９に被せられて外れ留めされる蓋３０、およびそのケーブル・ホルダー２９内において互いに向かい合う方向で両リンク端にその２本の出力側リリース・ケーブル１１，１２の入力側ケーブル・エンドを対応的に連結し、そして、リンク中間にその入力側リリース・ケーブル１３の出力側ケーブル・エンドを連結するケーブル連結リンク３１で組み立てられ、そして、その入力側リリース・ケーブル１３からその２本の出力側リリース・ケーブル１１，１２に解除操作を伝達可能にする。
【０００９】
その出力側リリース・ケーブル１１，１２およびその入力側リリース・ケーブル１３は、アウター・ケーブル１５，１７，１９およびインナー・ケーブル１６，１８，２０で組み立てられるところのプッシュ・プル・ケーブルが用いられる。その出力側リリース・ケーブル１１は、そのアウター・ケーブル１５の入力側ケーブル・エンド２１にケーブル・コネクター２７を結合し、そして、そのケーブル・コネクター２７でその二叉ケーブル連結器１４のそのケーブル・ホルダー２９に抜け留めされ、また、そのインナー・ケーブル１６のシート・アジャスター側ケーブル・エンドでそのリクライニング・デバイスのその解除レバーに結合され、一方、そのインナー・ケーブル１６の入力側ケーブル・エンド２２にローラー２８を結合し、そのローラー２８でその二叉ケーブル連結器１４のそのケーブル連結リンク３１の両リンク端の一方に連結されそのインナー・ケーブル１６でそのリクライニング・デバイスのその解除レバーを操作可能にする。
【００１０】
その別の出力側リリース・ケーブル１２は、そのアウター・ケーブル１７の入力側ケーブル・エンド２３にケーブル・コネクター２７を結合し、そして、そのケーブル・コネクター２７でその二叉ケーブル連結器１４のそのケーブル・ホルダー２９に抜け留めされ、また、そのインナー・ケーブル１８のシート・アジャスター側ケーブル・エンドでそのシート・トラックのその解除レバーに結合され、一方、そのインナー・ケーブル１８の入力側ケーブル・エンド２４にローラー２８を結合し、そのローラー２８でその二叉ケーブル連結器１４のそのケーブル連結リンク３１の両リンク端の他方に連結されてそのインナー・ケーブル１８でそのシート・トラックのその解除レバーを操作可能にする。
【００１１】
その入力側リリース・ケーブル１３は、そのアウター・ケーブル１９の出力側ケーブル・エンド２５にケーブル・コネクター２７を結合し、そして、そのケーブル・コネクター２７でその二叉ケーブル連結器１４のそのケーブル・ホルダー２９に抜け留めされ、そのインナー・ケーブル２０の出力側ケーブル・エンド２６にローラー２８を結合し、そのローラー２８でその二叉ケーブル連結器１４のそのケーブル連結リンク３１のリンク中間に連結され、一方、そのインナー・ケーブル２０の操作側ケーブル・エンドに操作ストラップあるいは操作グリップ若しくは操作レバーを結合してそのインナー・ケーブル２０でその２本の出力側リリース・ケーブル１１，１２のインナー・ケーブル１６，１８に解除操作を伝達する。
【００１２】
その二叉ケーブル連結器１４は、出力側端壁３３と入力側端壁３４との間でそれら施錠装置それぞれの解除ストロークよりも長い引きストロークを確保し、その出力側端壁３３に一対の出力側ケーブル穴３５，３５を適宜の間隔で明け、そして、その入力側端壁３４に入力側ケーブル穴３６を明けるそのケーブル・ホルダー２９、そのケーブル・ホルダー２９に被せられて外れ留めされたその蓋３０、およびそのケーブル・ホルダー２９のその一対の出力側ケーブル穴３５，３５にその２本の出力側リリース・ケーブル１１，１２のそのインナー・ケーブル１６，１８のその入力側ケーブル・エンド２２，２４を対応的に通して外部からそのケーブル・ホルダー２９の内部にその入力側ケーブル・エンド２２，２４を引き込んでその両リンク端にその２本の出力側リリース・ケーブル１１，１２のそのインナー・ケーブル１６，１８のその入力側ケーブル・エンド２２，２４を対応的に連結し、そして、そのケーブル・ホルダー２９のその入力側ケーブル穴３６にその入力側リリース・ケーブル１３のそのインナー・ケーブル２０のその出力側ケーブル・エンド２６を通して外部からそのケーブル・ホルダー２９の内部にその出力側ケーブル・エンド２６を引き込んで、そのリンク中間にその入力側リリース・ケーブル１３のそのインナー・ケーブル２０のその出力側ケーブル・エンド２６を結合するそのケーブル連結リンク３１で組み立てられる。
【００１３】
さらに具体的には、その二叉ケーブル連結器１４は、その施錠装置の解除ストロークよりも長い引きストロークを確保する間隔で底壁３２の一端にその出力側端壁３３を、その底壁３２の他端にその入力側端壁３４をそれぞれ折り曲げ、その出力側端壁３３にその一対のケーブル留めスロット３５，３５を適宜の間隔で上端に開口されて切り欠き、その入力側端壁３４にそのケーブル留めスロット３６を上端に開口させて切り欠き、そして、その出力側端壁３３および入力側端壁３４のそれぞれのその上端にほぞ３７，３７，３７，３７，３７，３７を突き出すそのケーブル・ホルダー２９と、頂壁３８の両側端のそれぞれに側壁３９，３９を折り曲げ、その頂壁３８の両端のそれぞれに抜き穴４０，４０，４０，４０，４０，４０を明け、そして、そのケーブル・ホルダー２９に被せられ、その抜き穴４０，４０，４０，４０，４０，４０にそのケーブル・ホルダー２９のその出力側および入力側端壁３３，３４のそのほぞ３７，３７，３７，３７，３７，３７をはめ込んでそのケーブル・ホルダー２９に留められるその蓋３０と、そのケーブル・ホルダー２９内で両リンク端に２本の出力側リリース・ケーブル１１，１２のそのインナー・ケーブル１６，１８のその入力側ケーブル・エンド２２，２４を、リンク中間に入力側リリース・ケーブル１３のそのインナー・ケーブル２０のその出力側ケーブル・エンド２６をそれぞれ連結するケーブル連結リンク３１とで組み立てられる。
【００１４】
そのケーブル連結リンク３１は、それの両リンク端およびリンク中間にローラー・ソケット４１，４１，４１を備え、そして、その２本の出力側リリース・ケーブル１１，１２のそのインナー・ケーブル１６，１８のその入力側ケーブル・エンド２２，２４のそのローラー２８，２８およびその入力側リリース・ケーブル１３のそのインナー・ケーブル２０のその出力側ケーブル・エンド２６のそのローラー２８をその３つのローラー・ソケット４１，４１，４１に対応的にはめ込んでその入力側リリース・ケーブル１３をその出力側リリース・ケーブル１１，１２に連結する。
このケーブル連結リンク３１は、そのローラー・ソケット４１，４１，４１に伸びるケーブル・スリット４２，４３，４４を切り込んでそのローラー・ソケット４１，４１，４１にそのローラー２８，２８，２８をはめ込む際、そのインナー・ケーブル１６，１８，２０の差し込みに活用し、また、そのローラー・ソケット４１，４１，４１に伸びるケーブル逃げ４５，４６，４７を切り欠いてそのインナー・ケーブル１６，１８，２０を可動にする。
さらに、このケーブル連結リンク３１は、だぼ付きカバー・プレート４８でそのローラー・ソケット４１，４１，４１内にそのローラー２８，２８，２８を回転可能に閉じ込める。
【００１５】
したがって、この解除機構１０では、同時操作、すなわち、そのストラップを引く操作でそのリクライニング・デバイスおよびシート・トラックそれぞれのその施錠装置が同時に、そして、確実に解除される。その２本の出力側リリース・ケーブル１１，１２がその入力側リリース・ケーブル１３で同時に引かれたその２本の出力側リリース・ケーブル１１，１２の何れか一方１１がフル・ストロークされ、その際、その２本の出力側リリース・ケーブル１１，１２の他方１２がまだ解除されるまでに引っ張られない場合にも図１２に示されたように、そのケーブル連結リンク３１がその２本の出力側リリース・ケーブル１１，１２のその一方１１の連結点を中心にして揺動されてその２本の出力側リリース・ケーブル１１，１２のその他方１２はそのケーブル連結リンク３１の揺動でさらに引っ張り可能になり、そのようにその２本の出力側リリース・ケーブル１１，１２の何れか他方１２には、まだ引きストロークの余裕があり、ケーブル取付けのバラツキによる片引き状態が回避されて同時操作が確実に行われ、そして、その複数の施錠装置が同時に解除可能になる。勿論、その２本の出力側リリース・ケーブル１１，１２のその他方１２がフル・ストロークされ、その際、その２本の出力側リリース・ケーブル１１，１２のその一方１１がまだ解除させるまでに引っ張られない場合には、そのケーブル連結リンク３１は前述と逆に揺動される。
【００１６】
この解除機構１０では、その２本の出力側リリース・ケーブル１１，２のそれぞれが、そのインナー・ケーブル１６，１８のその入力側ケーブル・エンド２２，２４にボール（図示せず）を結合し、その入力側リリース・ケーブル１３が、そのインナー・ケーブル２０のその出力側ケーブル・エンド２６にボール（図示せず）を結合し、そして、その二叉ケーブル連結器１４が、そのケーブル連結リンク３１のその両リンク端およびリンク中間にボール・ソケット（図示せず）を備え、そして、その２本の出力側リリース・ケーブル１１，１２のそのインナー・ケーブル１６，１８のその入力側ケーブル・エンド２２，２４のそのボールおよびその入力側リリース・ケーブル１３のそのインナー・ケーブル２０のその出力側ケーブル・エンド２６のそのボールをその３つのボール・ソケットに対応的にはめ込んでその入力側リリース・ケーブル１３をその２本の出力側リリース・ケーブル１１，１２に連結させてもかまわない。
【００１７】
そのケーブル連結リンク３１は、図１３および図１４に示されたように、細長い鋼板ブランクを断面Ｕ字形に折り曲げ、そして、上下のブレード５１，５２にローラー・ボア５３，５３，５３を通して明け、さらに、その上のブレード５１には、そのローラー・ボア５３，５，５３に伸びるケーブル・スリット５４，５５，５６を切り込んで作られてもかまわない。そうすると、そのケーブル連結リンク５０は、そのケーブル連結リンク３１のそのだぼ付きカバー・プレート４８が省かれ、構造が簡略化されて軽量化され、そして、廉価に製作可能になる。
【００１８】
先に図面を参照して説明されたところのこの発明の特定された具体例からも明らかであるように、この発明の属する技術分野における通常の知識を有する者にとって、この発明の内容は、その発明の性質（ｎａｌｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｌｅ  ｗｉｔｈ）、そして、その発明の成立に必須である。
【産業上の利用可能性】
【００１９】
上述から理解されるように、この発明の乗り物シートの複数の施錠装置に用いる解除機構は、施錠装置に連結される出力側リリース・ケーブルと、別の施錠装置に連結される別の出力側リリース・ケーブルと、その２本の出力側リリース・ケーブルに解除操作を伝達する入力側リリース・ケーブルと、その施錠装置の解除ストロークよりも長い引きストロークを確保するケーブル・ホルダー、およびそのケーブル・ホルダー内において互いに向かい合う方向で両リンク端にその２本の出力側リリース・ケーブルの入力側ケーブル・エンドを対応的に連結し、そして、リンク中間にその入力側リリース・ケーブルの出力側ケーブル・エンドを連結するケーブル連結リングで組み立てられる。二叉ケーブル連結器とを含むので、この発明の乗り物シートの複数の施錠装置に用いる解除機構では、その２本の出力側リリース・ケーブルがその入力側リリース・ケーブルで同時に引かれてその２本の出力側リリース・ケーブルの何れか一方がフル・ストロークされ、その際、その２本の出力側リリース・ケーブルの他方がまだ解除させるまでに引っ張られない場合にはそのケーブル連結リングでさらに引っ張り可能になり、すなわち、その２本の出力側リリース・ケーブルの何れか他方には、まだ引きストロークの余裕があり、ケーブル取付けのバラツキによる片引き状態が回避されて同時操作が確実に行われ、そして、その複数の施錠装置が同時に解除可能になり、その結果、自動車シートにとって非常に有用で実用的である。
【図面の簡単な説明】
【００２０】
【図１】乗用車やワゴンなどのフロント・シートに適用されるところのこの発明の乗り物シートの複数の施錠装置に用いる解除機構の具体例を一部破断し、一部断面して示した平面図である。
【図２】その解除機構を一部破断し、一部断面して示した側面図である。
【図３】図１の３−３線に沿って示した断面図である。
【図４】図１の４−４線に沿って示した断面図である。
【図５】ケーブル連結リンクを示した上面図である。
【図６】そのケーブル連結リンクを一方の側から見て示した側面図である。
【図７】そのケーブル連結リンクを他方の側から見て示した側面図である。
【図８】そのケーブル連結リンクを示した端面図である。
【図９】そのケーブル連結リンクを断面して示した断面図である。
【図１０】だぼ付きカバー・プレートを示した上面図である。
【図１１】そのだぼ付きカバー・プレートを示した側面図である。
【図１２】その解除機構の同時解除操作状態を一部破断し、一部断面して示した平面図である。
【図１３】変形されたケーブル連結リンクを示した上面図である。
【図１４】その変形されたケーブル連結リンクを示した側面図である。
【符号の説明】
【００２１】
１１  出力側リリース・ケーブル
１２  別の出力側リリース・ケーブル
１３  入力側リリース・ケーブル
１４  二叉ケーブル連結器
１５  アウター・ケーブル
１６  インナー・ケーブル
１７  アウター・ケーブル
１８  インナー・ケーブル
１９  アウター・ケーブル
２０  インナー・ケーブル
２１  入力側ケーブル・エンド
２２  入力側ケーブル・エンド
２３  入力側ケーブル・エンド
２４  入力側ケーブル・エンド
２５  出力側ケーブル・エンド
２６  出力側ケーブル・エンド
２９  ケーブル・ホルダー
３０  蓋
３１  ケーブル連結リンク
３３  出力側端壁
３４  入力側端壁
【図１】
2007045280.tif 000003
【図２】
2007045280.tif 000004
【図３】
2007045280.tif 000005
【図４】
2007045280.tif 000006
【図５】
2007045280.tif 000007
【図６】
2007045280.tif 000008
【図７】
2007045280.tif 000009
【図８】
2007045280.tif 000010
【図９】
2007045280.tif 000011
【図１０】
2007045280.tif 000012
【図１１】
2007045280.tif 000013
【図１２】
2007045280.tif 000014
【図１３】
2007045280.tif 000015
【図１４】
2007045280.tif 000016